(57)【要約】【課題】フレキシブル配線板等の接続信頼性を維持しつつ、薄型化，小型化が可能な接続構造体を提供する。【解決手段】接続構造体は、配線１２が形成されたリジッドプリント配線板１０と、配線２２が形成されたフレキシブルプリント配線板２０と、貫通電極３６を有する異方導電性シート３０と、ガイド部材２５と、押圧部材２７と、リジッド基板１０に連結された枠部材１５とを備えている。枠部材１５をガイド部材２５が挿通して、フレキシブルプリント配線板２０等を案内し、各係合部１５ａ，２７ａが係合して、接続構造体が組み立てられる。これにより、弾性体である異方導電性シート３０の貫通電極３６を介して、配線１２と配線２２とが導通状態になる。【選択図】図４
2008218551.tif 000002
【特許請求の範囲】
【請求項１】
第１の配線が形成された第１の配線体と、
前記第１の配線体における前記第１の配線の先端部周辺に設けられた枠部材と、
前記第１の配線に接続される第２の配線が形成された第２の配線体と、
前記第１の配線体と第２の配線体との間に介在し、前記第１の配線及び第２の配線を導通させるための貫通電極を有する弾性部材と、
前記第２の配線体の前記第２の配線と対向する側に配置された押圧部材とを備え、
前記押圧部材は、前記第２の配線体および弾性部材を第１の配線体に押圧して枠部材に係合する、接続構造体。
【請求項２】
請求項１記載の接続構造体において、
前記第２の配線体の先端部には、前記枠部材を縦方向に挿通可能なガイド部材が取り付けられている、接続構造体。
【請求項３】
請求項１または２記載の接続構造体において、
前記枠部材または前記押圧部材には、前記枠部材と押圧部材との係合を解除させるための係合解除機構が設けられている、接続構造体。
【発明の詳細な説明】
【技術分野】
【０００１】
本発明は、携帯電話等の各種電気機器に用いられる配線同士、特にフレキシブル配線板を他の配線板に接続するための接続構造体に関する。
【背景技術】
【０００２】
従来より、特に携帯電話等の小型軽量電気機器には、フィルム状配線体、いわゆるフレキシブル配線板が配置されることが多い。フレキシブル配線板は、携帯電話などの開閉機構や回転機構を有する機器中の電気的接続を行うために、極めて便利なものであることから、近年使用頻度が高まっている。フレキシブル配線板は、可撓性に富む反面、剛体構造のリジッド配線板とは異なり、コネクタの挿入口に挿入する際の挿入力を大きくすることは困難である。そこで、フレキシブル配線板を他の配線板に接続する接続構造体（コネクタ）として、無挿入力コネクタ（ＺＩＦ：Zero Interpose Force）が汎用されている（特許文献１，２参照）。
【０００３】
図７（ａ），（ｂ）は、一般的なＺＩＦ構造のコネクタの構造を示す平面図、および側面図である。同図に示すように、リジッドプリント配線板において、配線１０１が形成された剛体構造のリジッド基板１００の上にＺＩＦコネクタ１１０が配置されている。フレキシブルプリント配線板においては、フレキシブル基板２００の上に配線２０１が形成されている。ＺＩＦコネクタ１１０には、配線１０１に各々接続される金属ワイヤ状の複数の接触子１０３が設けられている。接触子１０３は、側方から見てコ字状に設けられおり、そのうち上側先端部は、鈎状となっている。接続を行う際には、フレキシブルプリント配線板は、ＺＩＦコネクタ１１０の接触子１０３のコ字状開口部に、ほとんど無挿入力で挿入される。そして、接触子１０３と配線２０１とを接触させた状態でロック部１０５を軸１０６の回りに回動させて、接触子１０３の鈎状の上側先端部をフレキシブル基板２００に食い込ませるように押圧することで、配線同士の接続が完了する。ロック部１０５は、その先端部が最下方まで移動したときにＺＩＦコネクタ１１０の側方に延びる両腕部によって係止される。
【０００４】
上記ＺＩＦコネクタ１１０の作動により、フレキシブル基板２００上の配線２０１と、マザーボードであるリジッド基板１００上の配線１０１とが電気的に接続された状態となる。そして、接触子１０３とフレキシブル基板２００上の配線２０１との接続状態が保持されるように、フレキシブルプリント配線板が把持された状態になる。特許文献１，２には、ロック部１０５や接触子１０３の各種構造が開示されている。
【０００５】
【特許文献１】特公平６−６５０９０号公報
【特許文献２】特公平７−２４２３０号公報
【発明の開示】
【発明が解決しようとする課題】
【０００６】
しかるに、最近のように、携帯電話等の各種電気機器類の小型化の進展に伴い、ＺＩＦコネクタの薄型化，小型化が求められると、上記ＺＩＦコネクタ１１０における電気的な接続の信頼性を維持することが困難となってきている。
【０００７】
すなわち、ワイヤ状の接触子１０３や、接触子１０３を支持する部分の厚みや幅寸法を、形状を設定状態に保つための機械的強度を保ちつつ、低減すること自体に限界がある。
【０００８】
また、ＺＩＦコネクタ１１０や接触子１０３などの厚みや幅寸法を低減すると、上記ＺＩＦコネクタ１１０の接触子１０３によるフレキシブルプリント配線板の把持力を十分高く維持することが困難である。反面、この把持力を十分高く維持して接続の信頼性を確保しようとすると、ＺＩＦコネクタ１００の薄型化，小型化が困難である。たとえば、配線１０１，２０１の幅が０．１ｍｍ程度で、挟ピッチ化によって配線間の隙間が０．１ｍｍ程度になると、接触子１０３の幅もそれに対応させる必要が生じるが、その場合には、把持力が弱くなって、フレキシブルプリント配線板が非常に外れやすい。
【０００９】
上述のような不具合は、フレキシブルプリント配線板とリジッドプリント配線板との接続だけでなく、フレキシブルプリント配線板同士の接続においても生じており、かつ、各種フレキシブル配線板についても生じうる。
【００１０】
本発明の目的は、フレキシブル配線板と他の配線板との電気的接続を保持するための接続構造体として、薄型化，小型化が可能で、かつ、接続の信頼性を維持することが可能な構造を提供することにある。
【課題を解決するための手段】
【００１１】
本発明の接続構造体は、フレキシブル配線板等である２つの配線体の間に、貫通電極を有する弾性部材を挟むとともに、２つの配線体同士を押圧しつつ枠部材に係合する押圧部材を設けたものである。
【００１２】
これにより、第１，第２の配線の高さにばらつきがあっても、弾性部材の弾性力と、押圧部材−枠部材間の係合による押圧力とによって、第１の配線と第２の配線との導通状態が確保される。すなわち、従来のＺＩＦコネクタに存在していた，配線の数に対応した数の金属ワイヤからなる接触子が不要になり、かつ、ＺＩＦコネクタにおける，接触子を支持する部分も不要になる。したがって、各部の機械的強度を高く保ちつつ、接続構造体全体の厚みや幅寸法を低減することが可能であり、薄型化，小型化の進展に対応することができる。
【００１３】
第２の配線体に、枠部材を縦方向に挿通可能なガイド部材を取り付けることにより、第１の配線と第２の配線との接続位置を対応させつつ、第２の配線体の先端部を枠部材内に格納することが可能になる。
【００１４】
枠部材または前記押圧部材に、係合解除機構をさらに設けることにより、脱着自在の接続構造体が得られる。
【発明の効果】
【００１５】
本発明の接続構造体によると、従来のＺＩＦコネクタのようなワイヤ状の接触子ではなく、枠部材と押圧部材とを用い、貫通電極を有する弾性部材を挟んで配線体同士を押圧する構造としたので、薄型化，小型化の進展に対応することができる。
【発明を実施するための最良の形態】
【００１６】
−接続構造体全体の構造−
図１は、本発明の実施の形態に係る接続構造体の接続前の構造を示す断面図である。図１に示すように、接続構造体は、リジッド基板１１上に配線１２（第１の配線）が形成された第１の配線体であるリジッドプリント配線板１０と、フレキシブル基板２１上に配線２２（第２の配線）が形成された第２の配線体であるフレキシブルプリント配線板２０と、貫通孔３５の内壁部に貫通電極３６を有する弾性部材である異方導電性シート３０と、フレキシブル基板２１の裏面に貼り付けられたガイド部材２５と、押圧部材２７とを備えている。リジッド基板１１には、枠部材１５が接着剤等により連結されている。図１に示す状態では、異方導電性シート３０は、リジッド基板１０及びフレキシブルプリント配線板２０から離れているが、通常は、フレキシブルプリント配線板２０またはリジッドプリント配線板１０に接着剤等によって固着されており、貫通電極３６と配線２２または配線１２とが接触している。
【００１７】
図２は、リジッドプリント配線板１０の平面図である。リジッド基板１１に連結された枠部材１５は、ほぼコ字状の平面形状を有している。また、配線１２は、リジッド基板１１上を延びて、外部機器に接続されており、その先端部が枠部材１５によって三方を囲まれている。そして、図１に示すガイド部材２５は、矩形状平板であり、その外周が枠部材１５が囲む空間の平面的大きさよりもごくわずかだけ小さく、ガイド部材２５が枠部材１５を縦方向に挿通可能な構造となっている。
【００１８】
リジッド基板１１としては、ガラスエポキシ板に限らず、紙フェノール板，紙エポキシ板，フッ素樹脂板，アルミナ板等が用いられる。配線１２の材料としては、銅合金を用いるのが一般的であるが、これに限定されるものではない。フレキシブル基板２１としては、ポリイミド板に限らず、ポリエステル板（低温使用），ガラスエポキシ板（薄板）等が用いられる。配線２２の材料としては、銅合金を用いるのが一般的であるが、これに限定されるものではない。押圧部材２７は、剛性の高い樹脂材料によって構成されている。
【００１９】
図３は、本実施の形態の接続構造体の組立方法を説明するための斜視図である。同図に示すように、ガイド部材２５が貼り付けられたフレキシブルプリント配線板２０と、異方導電性シート３０（フレキシブルプリント配線板２０に貼り付けられていてもよい）との上方から、押圧板２７をかぶせる。そして、ガイド部材２５によって枠部材１５で囲まれる空間に、異方導電性シート３０およびフレキシブルプリント配線板２０を導入する。このとき、ガイド部材２５が枠部材１５を挿通して、フレキシブルプリント配線板２０等の導入を案内する。最終的に、押圧板２７の下部が枠部材１５の内側面に嵌合することになる。
【００２０】
図４は、実施の形態に係る接続構造体の組立状態を示す断面図である。同図の拡大詳示図に示すように、枠部材１５には溝状の係合部１５ａが形成されており、押圧部材２７には、突起状の係合部２７ａが形成されていて、両係合部１５ａ，２７ａが互いに係合することにより、フレキシブルプリント配線板２０が外れるのを防いでいる。そして、リジッド基板１１上の配線１２と、フレキシブル基板２０上の配線２２とは、いずれも異方導電性シート３０の貫通電極３６に接触して、導通状態となっている。
【００２１】
図６は、リジッド基板１１上の配線１２と、フレキシブル基板２１上の配線２２とを重ね合わせたときの両者の位置と、貫通電極３６の位置との関係を概念的に示す平面図である。本実施の形態では、異方導電性シート３０は、フレキシブルプリント配線板の各種規格に対して汎用できる構造としている。基本的には、配線１２，２２の幅方向において、１個または数個の貫通電極３６が存在していればよく、配線間の隙間には貫通電極３６が存在している必要はない。ただし、１つの貫通電極３６に、同じ配線基板上の配線１２（または２２）が複数本接触することは、短絡を生じるので、避ける必要がある。
【００２２】
また、図６に示すように、平面視において、貫通電極３６の存在領域と配線１２，２２の存在領域とは、オーバーラップしていればよく、配線１２，２２の幅方向において、貫通電極３６が配線１２，２２内に包含されている必要はない。また、配線間の隙間に貫通電極３６が存在していても問題はない。各配線１２，２２ごとに、貫通電極３６との接触が確保されていれば、配線１２と配線２２とは、短絡することなく電気的に接続される。また、各配線１２，２２について、少なくとも１つの貫通電極３６によって電気的に接続されていればよい。
【００２３】
さらに、貫通電極３６の径を配線１２，２２の幅に比べて大幅に小さくして、各配線１２，２２ごとに、多数の貫通電極３６によって接続される構造を採用してもよい。後述するように、異方導電性シートの場合、貫通孔の径は、１０μｍ（０．０１ｍｍ）以下まで、ピッチが２５μｍ（０．０２５ｍｍ）以下まで、十分にファインピッチ化することができる。したがって、配線幅が０．１ｍｍ以下で、配線同士の間隔が０．１ｍｍ以下にファインピッチ化されていっても、十分な余裕を持って対応することがきる。
【００２４】
以上のことからわかるように、本実施の形態における貫通電極３６を有する異方導電シート３０を弾性部材として用いることにより、異方導電性シート３０中の貫通電極３６の形成パターンは一律にしておいて、各種配線基板同士の接続構造体に汎用することができる。また、このような接続構造体を用いると、貫通電極３６の配置を工夫することにより、配線１２と配線２２との位置が多少ずれても、短絡を回避しつつ、配線１２−配線２２間の電気的接続を確保することは容易である。
【００２５】
本実施の形態において用いた異方導電性シート３０は、例えば、特開２００４−２６５８４４号公報に記載の方法により製造することができる。すなわち、弾性体である多孔質ＰＴＦＥ膜を基材として、これに貫通孔３５を形成した後、無電解めっきにより、貫通孔３５の内壁面及び多孔質ＰＴＦＥの微細孔内を含む内壁部に貫通電極３６を形成したものである。
【００２６】
本実施の形態によると、従来採用されていたＺＩＦコネクタの金属ワイヤからなる接触子に代えて、板状の異方導電性シート３０（弾性部材）を介して、リジッド基板１１およびフレキシブル基板２１上の配線１２，２２間の電気的接続を行うようにしたので、薄型化，小型化に容易に対応することができる。すなわち、接触子を支持する部分が不要となり、板状の異方導電性シート３０の厚み，貫通電極３６の径，間隔などの寸法は、０．１ｍｍ以下まで小さくしても十分高い強度が得られる。
【００２７】
そして、押圧部材２７によってフレキシブルプリント配線板２０等を押圧する力と、弾性部材である異方導電性シート３０の弾性力とによって、異方導電性シート３０が弾性変形した状態で、配線１２と配線２２との間に異方導電性シート３０が介在している。したがって、配線１２と配線２２との表面に凹凸があっても、異方導電性シート３０の弾性変形によって、配線１２と貫通電極３６との間の接触、および配線２２と貫通電極３６との間の接触を確保することができる。したがって、接触不良を確実に抑制することができる。また、異方導電性シート３０の弾性変形によって、フレキシブルプリント配線板に対する把持力も向上する。したがって、接続構造体による電気的接続の信頼性がさらに向上する。
【００２８】
しかも、押圧部材２７を枠部材１５に係合させるだけの簡単な操作で、接続構造体を組み立てることができ、かつ、組立状態から、押圧部材２７を上方に移動させることで、係合状態を容易に解除できるので、取り外しも容易である。
【００２９】
また、フレキシブルプリント配線板２０にガイド部材２５が付設されているので、フレキシブルプリント配線板２０の先端部を枠部材１５で囲まれる空間内に導入することが容易となり、かつフレキシブルプリント配線板２０の配線２２の位置とリジッドプリント配線板１０の配線１２との位置合わせが容易となる。枠部材１５が囲む空間の幅とフレキシブルプリント配線２０の幅とを一致させることにより、ガイド部材２５を省略することも可能である。ただし、ガイド部材２５が付設されていることにより、柔軟性に富むフレキシブルプリント配線板２０の先端部の強度が補強されるので、組み立て作業を容易かつ迅速に行うことができる。
【００３０】
多孔質樹脂の中でも、多孔質ＰＴＦＥは、特に強度や耐熱性が大きく、繰り返し加重による弾性の劣化もほとんどないことから、長期間使用しても弾性の劣化による把持力の低下を防止することができる。
【００３１】
（変形例）
図５は、実施の形態の変形例における係合部及び係合解除機構を示す部分断面図である。この変形例においては、図４に示すリジッドプリント配線板１０，フレキシブルプリント配線板２０，異方導電性シート３０およびガイド部材２５を備えている。そして、図４の構造とは異なる点は、枠部材１５の係合部１５ａが、上部がテーパ状で下部がほぼ垂直な内壁を有する突起構造を有しており、押圧部材２７の係合部２７ａが、ほぼ垂直な板バネ２７ｂの下端部に設けられた鈎状構造を有している点である。そして、組立時には、押圧部材２７の係合部２７ａの先端のテーパ面と枠部材１５の係合部１５ａのテーパ面とが当接して、押圧部材２７が枠部材１５内に円滑に導入され、鈎状の係合部２７ａが枠部材１５の係合部１５ａの下端面に係合することで、押圧部材２７の脱落、つまりフレキシブルプリント配線板２０の脱落が確実に防止される。
【００３２】
一方、枠部材１５の係合部１５には、横方向に貫通するピン穴１５ｂが形成されており、ピン穴１５ｂの内方側開口部は押圧部材２７の板バネ２７ｂの位置に対応している。そして、接続構造体が組立てられた状態で、ピン穴１５ｂにピンを差し込むことにより、枠部材１５の係合部１５ａと枠部材２７の係合部２７ａとの係合状態が解除される。つまり、ピン穴１５ｂと、板バネ２７ｂとにより係合解除機構が構成されている。
【００３３】
本変形例によると、図５に示すような係合解除機構を有することにより、接続構造体の組立ておよび分解、言い換えると、フレキシブルプリント配線板２９の脱着を容易、迅速に行うことができる。
【００３４】
（他の実施の形態）
上記実施の形態では、弾性部材として、多孔質ＰＴＦＥ膜からなるフレーム板３０ａの貫通孔３５の内壁部に、触媒粒子と無電解めっき層とを形成してなる異方導電性シート３０を用いたが、本発明の弾性部材は、このような異方導電性シート３０に限定されるものではない。たとえば、多孔質ではないウレタン等の弾性樹脂材料からなる板材を用いてもよい。また、貫通電極３６の形成方法は、無電解めっきに限定されるものではなく、たとえば、ワイヤを貫通孔に埋め込んだり、導電性ゴムを貫通孔に埋め込んだり、ＣＶＤにより貫通孔内に導体膜を堆積させたものでもよい。
【００３５】
一方、上記実施の形態のごとく、弾性部材を構成する樹脂が多孔質であることにより、貫通電極３６も多孔質になるので、貫通電極３６全体としてもバネのような弾性を有する。よって、弾性部材の基材樹脂として、多孔質樹脂を用いることが好ましい。
【００３６】
多孔質樹脂の中でも多孔質ＰＴＦＥは、上述のように、長期間の使用における信頼性が高いが、反面高価であることから、コストを低減する目的で、他の安価な多孔質樹脂を用いることも可能である。
【００３７】
上記実施の形態では、第１の配線体としてリジッドプリント配線板（略称ＰＣＢ）を用い、第２の配線体としてフレキシブルプリント配線板（略称ＦＰＣ）を用いた例について説明したが、本発明の第１の配線体は、リジッドプリント配線板１０に限らず、フレキシブルプリント配線板であってもよい。また、フレキシブルプリント配線板であっても、フレキシブルフラットケーブル（ＦＦＣ）と呼ばれるものがあり、これら各種配線基板同士の接続に用いることができる。ただし、一方は、フレキシブルプリント配線板であることが望ましい。リジッドプリント配線板同士の電気的接続を行う場合には、本発明よりも簡素な構造を採りうるからである。
【００３８】
また、本発明の係合部の構造は、上記実施の形態やその変形例の係合部１５ａ，２７ａの構造に限定されるものではなく、周知の各種機構を用いて、枠部材１５と押圧部材２７との嵌合状態を維持するものであればよい。
【００３９】
また、本発明の係合解除機構は、変形例における係合解除機構に限定されるものではなく、周知の係合解除機構を用いることができる。
【００４０】
また、本発明の枠部材の構造は、実施の形態の枠部材１５の構造に限定されるものではない。枠部材１５の平面形状がコ字状である必要はなく、フレキシブルプリント配線板２０の先端部および両側面を規定する機能を有していればよい。
【００４１】
上記開示された本発明の実施の形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内でのすべての変更を含むものである。
【産業上の利用可能性】
【００４２】
本発明は、携帯電話などの電気機器に搭載されるフレキシブル配線板と他の配線板との配線間の電気接続を行うコネクタとして利用することができる。
【図面の簡単な説明】
【００４３】
【図１】実施の形態に係る接続構造体の接続前の構造を示す断面図である。
【図２】実施の形態に係るリジッドプリント配線板の平面図である。
【図３】実施の形態の接続構造体の組立方法を説明するための斜視図である。
【図４】実施の形態に係る接続構造体の組立状態を示す断面図である。
【図５】実施の形態の変形例における係合部及び解除機構を示す部分断面図である。
【図６】リジッド基板上の配線と、フレキシブル基板上の配線とを重ね合わせたときの両者の位置と、貫通電極の位置との関係を概念的に示す平面図である。
【図７】（ａ），（ｂ）は、一般的なＺＩＦ構造のコネクタの構造を示す平面図、および側面図である。
【符号の説明】
【００４４】
１０  リジッドプリント配線板
１１  リジッド基板
１２  配線
１５  枠部材
１５ａ  係合部
１５ｂ  ピン穴
２０  フレキシブルプリント配線板
２１  フレキシブル基板
２２  配線
２５  ガイド部材
２７  押圧部材
２７ａ  係合部
２７ｂ  板バネ
３０  異方導電性シート
３５  貫通孔
３６  貫通電極
【図１】
2008218551.tif 000003
【図２】
2008218551.tif 000004
【図３】
2008218551.tif 000005
【図４】
2008218551.tif 000006
【図５】
2008218551.tif 000007
【図６】
2008218551.tif 000008
【図７】
2008218551.tif 000009